(57)【特許請求の範囲】
【請求項１】
移動用の車輪を有する基台にブラケットを介して下側に延びるアームが取り付けてあり、このアーム端部に水平軸の廻りに回転すると共に変換プーリがワイヤソー駆動装置の設置面より下側に延びて位置させることができ、かつ、変換プーリがアームの軸に対して旋回可能であるワイヤソー駆動装置を使用して床版に設けた伸縮継手を水平切断撤去する方法であって、伸縮継手を囲むワイヤソーを収納する溝を床版に形成し、その溝全周の一定距離内側及び継手の中央部に補助溝を形成すると共にワイヤソー駆動装置の変換プーリを収容するピットを溝と補助溝の間に形成し、変換プーリがピット内に位置するようにワイヤソー駆動装置を設置し、変換プーリを介して溝内にワイヤソーを配設して床版及び伸縮継手を中央部の補助溝まで水平切断し、切断を中断して補助溝と溝で区画された水平切断が完了した部分の床版を撤去し、ワイヤソー駆動装置を水平切断が完了した部分に移動させ、変換プーリを介して溝内にワイヤソーを配設して残りの部分の水平切断をおこない、溝と補助溝の間の床版の撤去が完了したら伸縮継手を周囲の床版コンクリートから完全に遊離させて引き上げ撤去する伸縮継手の水平切断撤去方法。
【発明の詳細な説明】
【技術分野】
【０００１】
本発明は、老朽化等により交換が必要となった高架道路や橋梁等の伸縮継手をブレーカ等の振動騒音を発生する器具を使用することなく低騒音・低振動で撤去する方法に関する。
【背景技術】
【０００２】
建設から長期間経過して老朽化したり、また、損傷を受けた橋梁の伸縮継手を補修・交換するため、ブレーカでコンクリートをハツル作業を極力省略し、振動・騒音を周囲に撒き散らすことがないようするため、ダイヤモンドワイヤソーを使用して静音状態で交換作業をすることが提案されている。
ダイヤモンドワイヤソーが走行する溝を切断によって伸縮継手の周囲に形成し、溝の底部においてダイヤモンドワイヤを走行させ、継手を含む床版を水平に切断することによって伸縮継手を撤去するものであり、溝の形成及びワイヤソーによる水平切断は共に低騒音・低振動であり、撤去作業を静音でおこなうことができるので、住居やビルが近接している都市高速道路の伸縮継手に適用することができる工法である。
【発明の開示】
【発明が解決しようとする課題】
【０００３】
伸縮継手の水平切断に使用される従来のダイヤモンドワイヤソー駆動装置１は、図８に概略を示すように、基台２、昇降ガイド２０１、駆動プーリ３及びワイヤロープにダイヤモンドビーズを一定間隔で取り付けたワイヤソー４からなるものである。駆動プーリ３は、昇降ガイド２０１に昇降自在に取り付けてあり、油圧モータによって回転駆動され、駆動プーリ３にかけまわしてあるワイヤソー４は切断形成した溝内に設置され、変換プーリ３１を介して水平に方向転換させられて切断対象に巻きつけられ、駆動プーリ３の回転によってワイヤソー４が高速で走行して対象物を切断するものである。
【０００４】
伸縮継手を撤去するためには路面の下を水平に切断するので、路面上に設置したダイヤモンドワイヤソー駆動装置から路面下に導いたワイヤソーを水平方向に方向転換させるための変換プーリを設置する必要があり、手間がかかり迅速な撤去作業ができなかった。
本発明は、ダイヤモンドワイヤソーを使用した道路橋等の伸縮継手の交換工事において、変換プーリの設置を省略できるようにして工事の迅速化及びコスト低減を図るものである。
【課題を解決するための手段】
【０００５】
移動用の車輪を有する基台にブラケットを介して下側に延びるアームが取り付けてあり、このアーム端部に水平軸の廻りに回転すると共に変換プーリがワイヤソー駆動装置の設置面より下側に延びて位置させることができ、かつ、変換プーリがアームの軸に対して旋回可能であるワイヤソー駆動装置を使用して床版に設けた伸縮継手を水平切断撤去する方法であって、伸縮継手を囲むワイヤソーを収納する溝を床版に形成し、その溝全周の一定距離内側及び継手の中央部に補助溝を形成すると共にワイヤソー駆動装置の変換プーリを収容するピットを溝と補助溝の間に形成し、変換プーリがピット内に位置するようにワイヤソー駆動装置を設置し、変換プーリを介して溝内にワイヤソーを配設して床版及び伸縮継手を中央部の補助溝まで水平切断し、切断を中断して補助溝と溝で区画された水平切断が完了した部分の床版を撤去し、ワイヤソー駆動装置を水平切断が完了した部分に移動させ、変換プーリを介して溝内にワイヤソーを配設して残りの部分の水平切断をおこない、溝と補助溝の間の床版の撤去が完了したら伸縮継手を周囲の床版コンクリートから完全に遊離させて引き上げ撤去する伸縮継手の水平切断撤去方法であり、作業時間を短縮することを可能としたものである。
【発明の効果】
【０００６】
ワイヤソー駆動装置に基台の下に設けたブラケット２４に突出長さを調節可能にした変換プーリ３１が設けてあり、ワイヤソー駆動装置１の設置と同時に変換プーリ３１の設置が完了するので切断開始までの時間を短縮することができる。
変換プーリを設置することなく水平切断をおこなうことができ、段取り作業が簡略化されると共に、補助溝と溝を使用して伸縮継手を床版から遊離させているので作業時間を短縮でき、コストの削減を達成できる。
【発明を実施するための最良の形態】
【０００７】
実施例
図１に示すように、本発明に使用するワイヤソー駆動装置１は、基台２に移動用の車輪２０が設けてあり、操作用ハンドル２３を作業者が持って移動させることができる。基台２の下側には切断作業時に装置を固定する固定装置２１が設けてあり、脚２２を延ばして車輪２０を設置面より浮かせて装置を固定するものである。基台２上には駆動プーリ３及び複数の調整プーリ３０が設けてある。
ワイヤソー４が複数の調整プーリ３０の間に往復させて掛け渡してあり、切断の進行に伴って生じるワイヤソーの余剰長さを吸収できるようにしてある。駆動プーリ３は油圧モータによって回転駆動され、駆動プーリ３にかけまわしたワイヤソー４を高速で走行させる。
【０００８】
基台２の下部にブラケット２４が設けてあり、下側に延びるアーム２５がブラケット２４に形成してある長穴にボルトで固定してある。ボルトの締付け位置を変更することによってアーム２５の基台２からの突出長さを調節することができる。アーム２５の先端部には水平軸の廻りに回転する変換プーリ３１がアームに対して旋回可能に取り付けてある。ワイヤソー４は駆動プーリ３から調整プーリ３０に導かれ、変換プーリ３１を介して溝内に水平に配設されて切断対象物に巻きつけられる。駆動プーリ３の回転によってワイヤソー４が高速で走行して対象物を切断するものである。アーム２５自体をテレスコープ型として伸縮自在とすることも可能であり、変換プーリ３１の設置深さを変更することができるものであればどのような手段を採用してもよい。変換プーリ３１をアーム２５に対して旋回可能とすることによって、基台２が溝に対して斜めに設置せざるを得ない場合であっても変換プーリ３１が溝に対して平行にすることができ、ワイヤソーの走行を円滑におこなうことができる。
【０００９】
次に継手の水平切断撤去作業の手順を説明する。
図２に示すように、切断前の準備段階として撤去する継手５の周囲の路面に切断予定線を描く。また、切断に伴う冷却水が周囲に流れ出すのを防止するための発泡ウレタンからなる防護材やシート（図示しない）を設置する。
図２は切断予定線の一例で、継手５に平行なワイヤソーを収納する溝部分６０１と継手５の両側端の溝部分６０２で継手５を取り囲み切断領域を画定する。溝部分６０１、６０２から１５０ｍｍ内側の補助切断線６０３、６０４、及び継手５の中央部に補助切断線６０５を設ける。６０６は、ワイヤソー駆動装置１の変換プーリ３１を設置するためのピットを形成するための補助切断線である。
【００１０】
コアドリルを使用して４つのコーナー７を円形に切断してコア抜きをおこない、切断された円筒形のコアは撤去せずにその位置に残しておく。
更に、変換プーリ３１を設置するピットを形成する位置７３にコア抜きを重複しておこない、継手５の中央部７１、７１に２箇所、及び中間部７２、７２の2箇所をコアドリルで円形に切断する。
【００１１】
コンクリートカッターによって補助切断線６０３〜６０６の線上を幅３ｍｍ程度の補助溝が形成されるようにコンクリートカッターで切断する。次に、ワイヤソーを収納する溝となる部分の切断予定線６０１、６０２に沿ってコンクリートカッターで切断して幅１５ｍｍ程度の溝を形成する。市販の回転ブレード単独ではこの幅の溝を形成することができないので、回転ブレードを複数枚（本実施例では３枚）重ねることにより必要な幅の溝を形成した。また、必要な幅を単独で切断することができる特殊サイズのブレードを使用することでもよい。
その他の溝形成手段としては、熱溶射によって溝を形成することも可能であるが、高熱が床版コンクリートや鉄筋に悪影響を与える恐れがあるので、コンクリートカッターで溝を形成するのが好ましい。
ブレードの直径は、撤去する伸縮継手５の大きさに対応した直径のものを選択する。
【００１２】
補助切断線６０６とコアドリルで円形に重複切断した溝と補助溝の間の部分７３の補助溝に楔やバールを差し込んで力を加えることによって細片に細分化されたコンクリートを撤去してピットを形成する。
【００１３】
図３に示すように、ワイヤソー駆動装置１の変換プーリ３１がピットの真上になるように床版上に設置し、固定脚を延ばして固定する。油圧ユニットとワイヤソー駆動装置１の油圧モータを油圧ホースで接続する。変換プーリ３１が設けてあるアーム２５はピットの深さに応じて固定位置を変更して下方に延ばして変換プーリ３１をピット内に位置させ、駆動プーリ３に巻きまわされたワイヤソー４を溝内に配設して斜線で示す切断対象部分を取り囲んで溝の内部を一周させる。
【００１４】
ワイヤソー４を緊張させ、駆動プーリ３を回転させて溝の内部を循環走行させるとワイヤソー４が床版コンクリートに食い込み、水平切断が開始される。
本実施例では、１次切断として中央部の補助切断線６０５に形成した補助溝まで水平切断が完了したところで中断し、図４に示す周辺部の切断部分（二重斜線部分）を撤去する。継手５の周囲に幅１５０ｍｍの溝が形成される。
【００１５】
そこで、図５に示すように、ワイヤソー駆動装置１を移動させて残りの部分の水平切断をおこなう。水平切断が完了したら、図６に示すように二重斜線部分を撤去し、継手５を周囲の床版コンクリートから完全に遊離させ、引き上げ用の金具を継手５に溶接してクレーンで持ち上げて撤去する。
【００１６】
ワイヤソー４の走行をガイドする水平プーリを中間部に設けないで水平切断を実施すると、ワイヤソーの引っ張り側が先に切断されていき、折り返し部分が徐々に鋭角となって応力が集中し、ワイヤソーが破断されるなどの支障をきたすため、中間部に水平プーリを設置することによって均等に切断をおこなわせることが好ましい。
【００１７】
水平プーリ３５の設置は、図７に示すように、溝の適所に設けたピットの底面に電動ドリルで穴８を形成し、この穴８に拡張部を有するボルト８２を設置して固定する。このボルト８２にワッシャー８３を設置し、中央に穴を設けた硬質ゴムの円盤８４をボルト８２に差し込んで固定してワイヤソーをガイドする水平プーリ３５とする。ゴム製円盤８４の外周面には溝を形成し、ワイヤソー４がこの溝に案内されるようにするのが好ましい。
【００１８】
従来は、水平プーリの設置を固定金具を使用しておこなっていたが、この方法によれば底面にドリルで穿孔するだけでよく、迅速に水平プーリを設置することができ、切断撤去作業の工期を短縮することができる。
【図面の簡単な説明】
【００１９】
【図１】ワイヤソー駆動装置の正面図。
【図２】切断作業の切断線の説明図。
【図３】１次切断作業開始時の平面図。
【図４】１次切断作業完了時の平面図。
【図５】２次切断作業開始時の平面図。
【図６】２次切断作業完了時の平面図。
【図７】水平プーリの断面図。
【図８】従来のワイヤソー駆動装置の正面及び側面図。
【符号の説明】
【００２０】
１    ワイヤソー駆動装置
２    基台
３    駆動プーリ
３１  変換プーリ
４    ワイヤソー
５    継手
【図１】
0004408885.tif 000002
【図２】
0004408885.tif 000003
【図３】
0004408885.tif 000004
【図４】
0004408885.tif 000005
【図５】
0004408885.tif 000006
【図６】
0004408885.tif 000007
【図７】
0004408885.tif 000008
【図８】
0004408885.tif 000009